(57)【要約】【課題】生体情報と生体情報を採取した場所との対応関係をシステムに登録する手間を軽減する。【解決手段】着衣型センサ１００は、生体情報計測装置１の取り付け位置に、この取り付け位置の位置情報を象徴するタグ７を備える。生体情報計測装置１は、利用者の生体情報を検出する生体情報検出部と、タグ７を読み取る読み取り装置１０と、読み取り装置１０の読み取り結果に基づいて位置情報を取得する位置情報取得部と、生体情報検出部が検出した生体情報と位置情報取得部が取得した位置情報と生体情報計測装置１に固有の識別情報とを外部に通知する無線通信部とを備える。【選択図】  図２
2017148220.tif 000002
【特許請求の範囲】
【請求項１】
生体情報の計測対象となる利用者が着用する衣服である着衣型センサと、この着衣型センサに装着される複数の生体情報計測装置とから構成され、
前記着衣型センサは、
前記生体情報計測装置の取り付け位置に、この取り付け位置の位置情報を象徴するタグ、もしくは位置情報が記録されたタグを備え、
前記生体情報計測装置は、
利用者の生体情報を検出する生体情報検出手段と、
前記タグを読み取る読み取り手段と、
この読み取り手段の読み取り結果に基づいて位置情報を取得する位置情報取得手段と、
前記生体情報検出手段が検出した生体情報と位置情報取得手段が取得した位置情報と生体情報計測装置に固有の識別情報とを外部に通知する通知手段とを備えることを特徴とする生体情報計測システム。
【請求項２】
請求項１記載の生体情報計測システムにおいて、
前記タグは、前記取り付け位置の位置情報が記録された無線タグであり、
前記読み取り手段は、前記無線タグから無線通信によって情報を読み出すことを特徴とする生体情報計測システム。
【請求項３】
請求項１記載の生体情報計測システムにおいて、
前記タグは、前記取り付け位置の位置情報を表す光学的識別コードであり、
前記読み取り手段は、前記光学的識別コードから光学的に情報を読み出すことを特徴とする生体情報計測システム。
【請求項４】
請求項１記載の生体情報計測システムにおいて、
前記タグは、前記取り付け位置の位置情報を表す配線パターンであり、
前記読み取り手段は、前記配線パターンと電気的に接触して前記配線パターンの抵抗値を測定することにより情報を読み出すことを特徴とする生体情報計測システム。
【請求項５】
生体情報の計測対象となる利用者が着用する衣服である着衣型センサに複数の生体情報計測装置が装着された後に、各生体情報計測装置が、利用者の生体情報を検出する生体情報検出ステップと、
各生体情報計測装置が、前記着衣型センサの前記生体情報計測装置を取り付ける位置に予め設置された、この取り付け位置の位置情報を象徴するタグ、もしくは位置情報が記録されたタグを読み取る読み取りステップと、
この読み取りステップの読み取り結果に基づいて位置情報を取得する位置情報取得ステップと、
前記生体情報検出ステップで検出した生体情報と位置情報取得ステップで取得した位置情報と生体情報計測装置に固有の識別情報とを外部に通知する通知ステップとを含むことを特徴とする生体情報計測方法。
【請求項６】
請求項５記載の生体情報計測方法において、
前記タグは、前記取り付け位置の位置情報が記録された無線タグであり、
前記読み取りステップは、前記無線タグから無線通信によって情報を読み出すステップを含むことを特徴とする生体情報計測方法。
【請求項７】
請求項５記載の生体情報計測方法において、
前記タグは、前記取り付け位置の位置情報を表す光学的識別コードであり、
前記読み取りステップは、前記光学的識別コードから光学的に情報を読み出すステップを含むことを特徴とする生体情報計測方法。
【請求項８】
請求項５記載の生体情報計測方法において、
前記タグは、前記取り付け位置の位置情報を表す配線パターンであり、
前記読み取りステップは、前記配線パターンと電気的に接触して前記配線パターンの抵抗値を測定することにより情報を読み出すステップを含むことを特徴とする生体情報計測方法。
【発明の詳細な説明】
【技術分野】
【０００１】
本発明は、計測対象の利用者の複数箇所の生体情報を計測する生体情報計測システムおよび方法に関するものである。
【背景技術】
【０００２】
筋電位などの生体情報を計測する生体情報計測システムにおいては、複数個の生体情報計測装置を人体の所定箇所に取り付け、この所定箇所にて発生する人体の生体情報を検知し、健康管理、運動トレーニング等に役立てようという事例がある。
【０００３】
従来の生体情報計測システムの例としては、例えば非特許文献１、非特許文献２、非特許文献３に開示されたものがある。非特許文献１、非特許文献２には、利用者の身体の主要運動部位に取り付けた複数個の筋電位センサからの情報を集約するシステムが開示されている。また、非特許文献３には、導電性電極を複数個所、縫いこんだセンサを利用者の腕に装着し、運動時の各部位の筋電情報を検知し集約するシステムが開示されている。
【０００４】
従来の生体情報計測システムの使用事例を図１５に示す。図１５の例では、利用者が着用する着衣型センサ２００の、右腕、左腕、腹部、背中の全４か所に、生体情報計測装置１〜４を取り付け、利用者の右腕、左腕、腹部、背中の各部分の筋電位を計測する事例を表している。
【０００５】
それぞれの生体情報計測装置１〜４には、無線通信装置が内蔵されており、計測した筋電位を、外部の電子機器、たとえば、スマートフォンなどに無線によって転送する。４つの生体情報計測装置１〜４から転送された筋電位情報を電子機器上で表示する画面の１例を図１６に示す。図１６のＶ１〜Ｖ４はそれぞれ生体情報計測装置１〜４で計測された筋電位波形を示している。
【先行技術文献】
【非特許文献】
【０００６】
【非特許文献１】Delsys社，“Trigno Lab”，インターネット＜http://www.delsys.com/wp-content/uploads/2014/11/Trigno-Lab-20141111.pdf＞
【非特許文献２】日本光電工業株式会社，“多チャンネルテレメータシステム”，インターネット＜http://www.nihonkohden.co.jp/iryo/products/research/01_animal/web/web7000.html＞
【非特許文献３】新村達他，“導電性衣服を用いた高精度・多チャンネル筋電位測定システム”，インタラクション２００７  インタラクティブ発表，インターネット＜http://www.interaction-ipsj.org/archives/paper2007/＞
【発明の概要】
【発明が解決しようとする課題】
【０００７】
図１６のように複数の生体情報を画面表示する場合、どの生体情報計測装置が、着衣型センサのどの部位に取り付けられているかが重要になる。従来の生体情報計測システムでは、計測を開始する前に、取り付けた生体情報計測装置の識別番号と取り付けた部位との対応表を表１のように用意する必要があり、手間を要するという問題点があった。
【０００８】
【表１】
2017148220.tif 000003
【０００９】
また、図１６のように複数の生体情報を画面表示する場合には、各生体情報を対応する生体情報計測装置の識別番号と共に表示することになり、生体情報計測装置の取り付け部位の情報を表示画面に反映し難いという問題点があった。
【００１０】
本発明は、上記課題を解決するためになされたもので、生体情報と生体情報を採取した場所との対応関係をシステムに登録する手間を軽減し、生体情報と生体情報を採取した場所との対応付けを確実に行うことができる生体情報計測システムおよび方法を提供することを目的とする。
【課題を解決するための手段】
【００１１】
本発明の生体情報計測システムは、生体情報の計測対象となる利用者が着用する衣服である着衣型センサと、この着衣型センサに装着される複数の生体情報計測装置とから構成され、前記着衣型センサは、前記生体情報計測装置の取り付け位置に、この取り付け位置の位置情報を象徴するタグ、もしくは位置情報が記録されたタグを備え、前記生体情報計測装置は、利用者の生体情報を検出する生体情報検出手段と、前記タグを読み取る読み取り手段と、この読み取り手段の読み取り結果に基づいて位置情報を取得する位置情報取得手段と、前記生体情報検出手段が検出した生体情報と位置情報取得手段が取得した位置情報と生体情報計測装置に固有の識別情報とを外部に通知する通知手段とを備えることを特徴とするものである。
【００１２】
また、本発明の生体情報計測システムの１構成例において、前記タグは、前記取り付け位置の位置情報が記録された無線タグであり、前記読み取り手段は、前記無線タグから無線通信によって情報を読み出すことを特徴とするものである。
また、本発明の生体情報計測システムの１構成例において、前記タグは、前記取り付け位置の位置情報を表す光学的識別コードであり、前記読み取り手段は、前記光学的識別コードから光学的に情報を読み出すことを特徴とするものである。
また、本発明の生体情報計測システムの１構成例において、前記タグは、前記取り付け位置の位置情報を表す配線パターンであり、前記読み取り手段は、前記配線パターンと電気的に接触して前記配線パターンの抵抗値を測定することにより情報を読み出すことを特徴とするものである。
【００１３】
また、本発明の生体情報計測方法は、生体情報の計測対象となる利用者が着用する衣服である着衣型センサに複数の生体情報計測装置が装着された後に、各生体情報計測装置が、利用者の生体情報を検出する生体情報検出ステップと、各生体情報計測装置が、前記着衣型センサの前記生体情報計測装置を取り付ける位置に予め設置された、この取り付け位置の位置情報を象徴するタグ、もしくは位置情報が記録されたタグを読み取る読み取りステップと、この読み取りステップの読み取り結果に基づいて位置情報を取得する位置情報取得ステップと、前記生体情報検出ステップで検出した生体情報と位置情報取得ステップで取得した位置情報と生体情報計測装置に固有の識別情報とを外部に通知する通知ステップとを含むことを特徴とするものである。
【発明の効果】
【００１４】
本発明によれば、生体情報計測装置の取り付け位置の位置情報を象徴するタグ、もしくは位置情報が記録されたタグを着衣型センサに設け、生体情報検出手段と読み取り手段と位置情報取得手段とを生体情報計測装置に設けることにより、着衣型センサに生体情報計測装置を取り付けた取り付け位置の位置情報を生体情報計測装置が自動的に取得することができるので、生体情報と生体情報を採取した場所との対応関係をシステムに登録する手間を軽減することができ、生体情報と生体情報を採取した場所との対応付けを確実に行うことができる。
【図面の簡単な説明】
【００１５】
【図１】本発明の第１の実施の形態に係る生体情報計測システムの外観を示す図である。
【図２】本発明の第１の実施の形態に係る着衣型センサの、生体情報計測装置を取り付ける面を示す平面図、および生体情報計測装置の、着衣型センサへの取り付け面を示す平面図である。
【図３】本発明の第１の実施の形態に係る生体情報計測装置の電気的な構成を示すブロック図である。
【図４】本発明の第１の実施の形態に係る生体情報計測システムの動作を説明するフローチャートである。
【図５】本発明の第１の実施の形態において複数の生体情報計測装置から送信された生体情報を電子機器上で表示する画面の１例を示す図である。
【図６】本発明の第２の実施の形態に係る着衣型センサの、生体情報計測装置を取り付ける面を示す平面図、および生体情報計測装置の、着衣型センサへの取り付け面を示す平面図である。
【図７】本発明の第２の実施の形態に係る生体情報計測装置の電気的な構成を示すブロック図である。
【図８】本発明の第３の実施の形態に係る着衣型センサの、生体情報計測装置を取り付ける面を示す平面図、および生体情報計測装置の、着衣型センサへの取り付け面を示す平面図である。
【図９】本発明の第３の実施の形態に係る生体情報計測装置の電気的な構成を示すブロック図である。
【図１０】本発明の第４の実施の形態に係る着衣型センサの、生体情報計測装置を取り付ける面を示す平面図、および生体情報計測装置の、着衣型センサへの取り付け面を示す平面図である。
【図１１】本発明の第４の実施の形態における配線パターンの１例を示す平面図である。
【図１２】本発明の第４の実施の形態に係る生体情報計測装置の電気的な構成を示すブロック図である。
【図１３】本発明の第４の実施の形態に係る生体情報計測装置の読み取り装置の構成を示す図である。
【図１４】本発明の第４の実施の形態に係る生体情報計測装置の読み取り装置による測定の例を説明する図である。
【図１５】従来の生体情報計測システムの概要を説明する模式図である。
【図１６】従来の生体情報計測システムで計測された生体情報を、外部の電子機器上で一覧表示する画面の１例を示す図である。
【発明を実施するための形態】
【００１６】
［第１の実施の形態］
以下、本発明の実施の形態について図面を参照して説明する。図１は本発明の第１の実施の形態に係る生体情報計測システムの外観図である。生体情報計測システムは、生体情報の計測対象となる利用者が着用する衣服である着衣型センサ１００と、着衣型センサ１００に取り付けられる生体情報計測装置１〜４とから構成される。図１の例では、生体情報計測装置１〜４を、それぞれ着衣型センサ１００の右腕、左腕、腹部、背中の部分に取り付けている。
【００１７】
図２（Ａ）は本実施の形態の着衣型センサ１００の、生体情報計測装置を取り付ける面を示す平面図、図２（Ｂ）は生体情報計測装置の、着衣型センサ１００への取り付け面を示す平面図である。
【００１８】
図２（Ａ）の例では、着衣型センサ１００の、生体情報計測装置１を取り付ける面を拡大して示している。着衣型センサ１００の、生体情報計測装置１を取り付ける面には、取り付け用のドットボタン５，６と、この取り付け位置の位置情報を表すタグ７（ここでは「右腕」という文字が記述された）とが設けられている。
【００１９】
着衣型センサ１００の、他の生体情報計測装置２〜４を取り付ける位置についても同様の構成が設けられる。すなわち着衣型センサ１００の、生体情報計測装置２を取り付ける位置には、ドットボタン５，６と「左腕」という文字が記述されたタグ７とが設けられ、生体情報計測装置３を取り付ける位置には、ドットボタン５，６と「腹部」という文字が記述されたタグ７とが設けられ、生体情報計測装置４を取り付ける位置には、ドットボタン５，６と「背中」という文字が記述されたタグ７とが設けられる。
【００２０】
一方、生体情報計測装置１の、着衣型センサ１００への取り付け面には、ドットボタン５，６に対応する取り付け用のドットボタン８，９と、タグの読み取り装置１０とが設けられている。生体情報計測装置１の図２（Ｂ）に示した面を、着衣型センサ１００の図２（Ａ）に示した面と向かい合わせて、生体情報計測装置１のドットボタン８，９が着衣型センサ１００のドットボタン５，６と嵌合するように生体情報計測装置１を装着することにより、生体情報計測装置１が着衣型センサ１００に機械的かつ電気的に固定される。
【００２１】
図３は生体情報計測装置１の電気的な構成を示すブロック図である。生体情報計測装置１は、読み取り装置１０と、利用者の筋電位などの生体情報を検出する生体情報検出部５０と、読み取り装置１０が撮影した画像を解析してタグ７が表している位置情報を取得する位置情報取得部５１と、生体情報計測装置１に固有の識別情報を予め記憶する記憶部５２と、情報を電子機器（例えばスマートフォン）に無線送信する無線通信部５３と、記憶部５２から識別情報を読み出して、生体情報検出部５０が検出した生体情報と位置情報取得部５１が取得した位置情報と識別情報とを無線通信部５３に渡して無線送信させる制御部５４と、生体情報計測装置１の各部に電力を供給する電池５５とを備えている。無線通信部５３と制御部５４とは、通知手段を構成している。図２（Ｂ）、図３では、生体情報計測装置１の構成を例に挙げて説明しているが、生体情報計測装置２〜４の構成も生体情報計測装置１と同じである。
【００２２】
図４は本実施の形態の生体情報計測システムの動作を説明するフローチャートである。利用者は、生体情報計測装置１〜４を着衣型センサ１００の所定の部位に装着した後（図４ステップＳ１００）、各生体情報計測装置１〜４の電源ボタンを押して起動する（図４ステップＳ１０１）。
【００２３】
各生体情報計測装置１〜４の読み取り装置１０は、それぞれの取り付け部位に設置されたタグ７を読み取る。各生体情報計測装置１〜４の位置情報取得部５１は、読み取り装置１０の読み取り結果から位置情報を取得する（図４ステップＳ１０２）。本実施の形態の例では、読み取り装置１０が撮影した画像を解析して位置情報を取得すればよい。
【００２４】
各生体情報計測装置１〜４の制御部５４は、生体情報検出部５０が検出した生体情報をデジタル情報化し、必要に応じて各種の信号処理を行い、電子機器（不図示）との無線通信を無線通信部５３に確立させた後に、デジタル情報化した生体情報と記憶部５２から読み出した識別情報と位置情報取得部５１が取得した位置情報とを無線通信部５３に渡して電子機器へ無線送信させる（図４ステップＳ１０３）。
各生体情報計測装置１〜４の生体情報検出部５０は、生体情報の検出を一定時間毎に行う。したがって、ステップＳ１０３の処理も一定時間毎に行なわれる。
【００２５】
複数の生体情報計測装置１〜４から送信された生体情報（筋電位）を電子機器上で表示する画面の１例を図５に示す。電子機器は、各生体情報計測装置１〜４から送信された生体情報と各生体情報計測装置１〜４の識別情報（識別番号１〜４）とを一覧表示すると共に、各生体情報計測装置１〜４の位置情報（右腕、左腕、腹部、背中）を表示することができる。
【００２６】
なお、スマートフォンなどの電子機器の構成は周知であり、生体情報計測システムに対応するアプリケーションプログラムを予め作成しておけば、図５のような画面表示を容易に実現できることは言うまでもない。
【００２７】
本実施の形態では、生体情報と識別情報と位置情報とを電子機器に送信することにより、生体情報を計測しようとする利用者が、生体情報と生体情報を採取した場所との関係性を確かめるのに役立てることができる。また、本実施の形態では、表１に示したような対応表を予め電子機器に用意しておく必要がなくなる。
【００２８】
［第２の実施の形態］
次に、本発明の第２の実施の形態について説明する。図６（Ａ）は本実施の形態の着衣型センサ１００の、生体情報計測装置１を取り付ける面を示す平面図、図６（Ｂ）は生体情報計測装置１の、着衣型センサ１００への取り付け面を示す平面図である。
【００２９】
着衣型センサ１００の、生体情報計測装置１を取り付ける面には、取り付け用のドットボタン１１，１２と、この取り付け位置の位置情報に対応するコードを記憶している無線タグ１３とが設けられている。ここでは、無線タグ１３が「右腕」に対応するコードを記憶している。
【００３０】
着衣型センサ１００の、他の生体情報計測装置２〜４を取り付ける位置についても同様の構成が設けられる。すなわち着衣型センサ１００の、生体情報計測装置２を取り付ける位置には、ドットボタン１１，１２と「左腕」に対応するコードを記憶する無線タグ１３とが設けられ、生体情報計測装置３を取り付ける位置には、ドットボタン１１，１２と「腹部」に対応するコードを記憶する無線タグ１３とが設けられ、生体情報計測装置４を取り付ける位置には、ドットボタン１１，１２と「背中」に対応するコードを記憶する無線タグ１３とが設けられる。
【００３１】
一方、生体情報計測装置１の、着衣型センサ１００への取り付け面には、ドットボタン１１，１２に対応する取り付け用のドットボタン１４，１５と、無線タグ１３の読み取り装置１６とが設けられている。生体情報計測装置１を装着する際には、第１の実施の形態と同様に、生体情報計測装置１の図６（Ｂ）に示した面を、着衣型センサ１００の図６（Ａ）に示した面と向かい合わせて、生体情報計測装置１のドットボタン１４，１５を着衣型センサ１００のドットボタン１１，１２と嵌合させるようにすればよい。
【００３２】
図７は生体情報計測装置１の電気的な構成を示すブロック図であり、図３と同一の構成には同一の符号を付してある。本実施の形態の生体情報計測装置１は、読み取り装置１６と、生体情報検出部５０と、読み取り装置１６が無線タグ１３から読み取ったコードに含まれる位置情報を取得する位置情報取得部５１ａと、記憶部５２と、無線通信部５３と、制御部５４と、電池５５とを備えている。図６（Ｂ）、図７では、生体情報計測装置１の構成を例に挙げて説明しているが、生体情報計測装置２〜４の構成も生体情報計測装置１と同じである。
【００３３】
本実施の形態においても、生体情報計測システムの処理の流れは第１の実施の形態と同様であるので、図４の符号を用いて説明する。ステップＳ１００，Ｓ１０１の処理は第１の実施の形態で説明したとおりである。
【００３４】
各生体情報計測装置１〜４の読み取り装置１６は、それぞれの取り付け部位に設置された無線タグ１３からコードを読み取る。各生体情報計測装置１〜４の位置情報取得部５１ａは、読み取り装置１６が読み取った無線タグ１３のコードに含まれる位置情報を取得する（図４ステップＳ１０２）。なお、無線タグ１３の構成と無線タグ１３から情報を読み取る技術とは、周知の技術であるので、詳細な説明は省略する。
【００３５】
各生体情報計測装置１〜４の制御部５４は、第１の実施の形態と同様に、デジタル情報化した生体情報と記憶部５２から読み出した識別情報と位置情報取得部５１ａが取得した位置情報とを無線通信部５３に渡して電子機器へ無線送信させる（図４ステップＳ１０３）。こうして、本実施の形態では、第１の実施の形態と同様の効果を得ることができる。
【００３６】
［第３の実施の形態］
次に、本発明の第３の実施の形態について説明する。図８（Ａ）は本実施の形態の着衣型センサ１００の、生体情報計測装置１を取り付ける面を示す平面図、図８（Ｂ）は生体情報計測装置１の、着衣型センサ１００への取り付け面を示す平面図である。
【００３７】
着衣型センサ１００の、生体情報計測装置１を取り付ける面には、取り付け用のドットボタン１６，１７と、この取り付け位置の位置情報を表すタグである光学的識別コード１８（例えばＱＲコード（登録商標））とが設けられている。ここでは、光学的識別コード１８が「右腕」という位置情報を含むコードを表している。
【００３８】
着衣型センサ１００の、他の生体情報計測装置２〜４を取り付ける位置についても同様の構成が設けられる。すなわち着衣型センサ１００の、生体情報計測装置２を取り付ける位置には、ドットボタン１６，１７と「左腕」という位置情報を表す光学的識別コード１８とが設けられ、生体情報計測装置３を取り付ける位置には、ドットボタン１６，１７と「腹部」という位置情報を表す光学的識別コード１８とが設けられ、生体情報計測装置４を取り付ける位置には、ドットボタン１６，１７と「背中」という位置情報を表す光学的識別コード１８とが設けられる。
【００３９】
一方、生体情報計測装置１の、着衣型センサ１００への取り付け面には、ドットボタン１６，１７に対応する取り付け用のドットボタン１９，２０と、光学的識別コード１８の読み取り装置２１とが設けられている。生体情報計測装置１を装着する際には、第１の実施の形態と同様に、生体情報計測装置１の図８（Ｂ）に示した面を、着衣型センサ１００の図８（Ａ）に示した面と向かい合わせて、生体情報計測装置１のドットボタン１９，２０を着衣型センサ１００のドットボタン１６，１７と嵌合させるようにすればよい。
【００４０】
図９は生体情報計測装置１の電気的な構成を示すブロック図であり、図３と同一の構成には同一の符号を付してある。本実施の形態の生体情報計測装置１は、読み取り装置２１と、生体情報検出部５０と、読み取り装置２１が光学的識別コード１８から読み取ったコードから位置情報を抽出する位置情報取得部５１ｂと、記憶部５２と、無線通信部５３と、制御部５４と、電池５５とを備えている。図８（Ｂ）、図９では、生体情報計測装置１の構成を例に挙げて説明しているが、生体情報計測装置２〜４の構成も生体情報計測装置１と同じである。
【００４１】
本実施の形態においても、生体情報計測システムの処理の流れは第１の実施の形態と同様であるので、図４の符号を用いて説明する。ステップＳ１００，Ｓ１０１の処理は第１の実施の形態で説明したとおりである。
【００４２】
各生体情報計測装置１〜４の読み取り装置２１は、それぞれの取り付け部位に設置された光学的識別コード１８を読み取る。各生体情報計測装置１〜４の位置情報取得部５１ｂは、読み取り装置２１が読み取ったコードを解析して位置情報を取得する（図４ステップＳ１０２）。なお、光学的識別コード１８（ＱＲコード）と光学的識別コード１８から情報を抽出する技術とは、周知の技術であるので、詳細な説明は省略する。
【００４３】
各生体情報計測装置１〜４の制御部５４は、第１の実施の形態と同様に、デジタル情報化した生体情報と記憶部５２から読み出した識別情報と位置情報取得部５１ｂが取得した位置情報とを無線通信部５３に渡して電子機器へ無線送信させる（図４ステップＳ１０３）。こうして、本実施の形態では、第１の実施の形態と同様の効果を得ることができる。
【００４４】
［第４の実施の形態］
次に、本発明の第４の実施の形態について説明する。図１０（Ａ）は本実施の形態の着衣型センサ１００の、生体情報計測装置１を取り付ける面を示す平面図、図１０（Ｂ）は生体情報計測装置１の、着衣型センサ１００への取り付け面を示す平面図である。
【００４５】
着衣型センサ１００の、生体情報計測装置１を取り付ける面には、取り付け用のドットボタン１６，１７と、この取り付け位置の位置情報を表すタグである配線パターン２２とが設けられている。ここでは、配線パターン２２が「右腕」という位置情報に対応するコードを表している。配線パターン２２は、非導電性の衣服（着衣型センサ１００）上に導電性布もしくは導電性糸によって形成されている。
【００４６】
着衣型センサ１００の、他の生体情報計測装置２〜４を取り付ける位置についても同様の構成が設けられる。すなわち着衣型センサ１００の、生体情報計測装置２を取り付ける位置には、ドットボタン１６，１７と「左腕」という位置情報に対応するコードを表す配線パターン２２とが設けられ、生体情報計測装置３を取り付ける位置には、ドットボタン１６，１７と「腹部」という位置情報に対応するコードを表す配線パターン２２とが設けられ、生体情報計測装置４を取り付ける位置には、ドットボタン１６，１７と「背中」という位置情報に対応するコードを表す配線パターン２２とが設けられる。
【００４７】
図１１は本実施の形態の配線パターン２２の１例を示す平面図である。本実施の形態では、配線パターン２２として、４ビットのコードを表現するため、この４ビットの各ビットに対応する部分配線パターン２４〜２７が導電性布もしくは導電性糸によって形成されている。
【００４８】
一方、生体情報計測装置１の、着衣型センサ１００への取り付け面には、ドットボタン１６，１７に対応する取り付け用のドットボタン１９，２０と、配線パターン２２の読み取り装置２３とが設けられている。生体情報計測装置１を装着する際には、第１の実施の形態と同様に、生体情報計測装置１の図１０（Ｂ）に示した面を、着衣型センサ１００の図１０（Ａ）に示した面と向かい合わせて、生体情報計測装置１のドットボタン１９，２０を着衣型センサ１００のドットボタン１６，１７と嵌合させるようにすればよい。
【００４９】
図１２は生体情報計測装置１の電気的な構成を示すブロック図であり、図３と同一の構成には同一の符号を付してある。本実施の形態の生体情報計測装置１は、読み取り装置２３と、生体情報検出部５０と、読み取り装置２３が配線パターン２２の抵抗値を測定することにより読み出したコードに対応する位置情報を取得する位置情報取得部５１ｃと、記憶部５２ｃと、無線通信部５３と、制御部５４と、電池５５とを備えている。
【００５０】
図１３は本実施の形態の読み取り装置２３の構成を示す図である。読み取り装置２３は、生体情報計測装置１が着衣型センサ１００に装着されたときに、着衣型センサ１００の部分配線パターン２４〜２７と電気的に接触するように、生体情報計測装置１の、着衣型センサ１００への取り付け面に設置された端子２８〜３２と、端子２８と端子２９〜３２間の抵抗値を測定することにより、各部分配線パターン２４〜２７の抵抗値を測定する抵抗値測定部３３とから構成される。図１０（Ｂ）、図１２、図１３では、生体情報計測装置１の構成を例に挙げて説明しているが、生体情報計測装置２〜４の構成も生体情報計測装置１と同じである。
【００５１】
本実施の形態においても、生体情報計測システムの処理の流れは第１の実施の形態と同様であるので、図４の符号を用いて説明する。ステップＳ１００，Ｓ１０１の処理は第１の実施の形態で説明したとおりである。
【００５２】
各生体情報計測装置１〜４の読み取り装置２３は、それぞれの取り付け部位に設置された配線パターン２２の抵抗値を測定する。図１４は読み取り装置２３による測定の例を説明する図である。図１４の例では、生体情報計測装置１が着衣型センサ１００に装着されたときに、着衣型センサ１００の部分配線パターン２４〜２７の一端が生体情報計測装置１の端子２８と接触し、部分配線パターン２５，２７の他端が端子３０，３２と接触して、部分配線パターン２４，２６の他端が端子２９，３１と接触していない例を示している。この結果、読み取り装置２３の抵抗値測定部３３は、表２のような抵抗値の測定結果を得る。
【００５３】
【表２】
2017148220.tif 000004
【００５４】
表２の例では、抵抗値の測定結果がオープンの場合をビット「１」とし、抵抗値の測定結果が短絡の場合をビット「０」としている。こうして、配線パターン２２の位置を示すコードとして、部分配線パターン２７、２６、２５、２４の示す抵抗をデジタル化して順に左から右に並べた２進数のコード「０１０１」を得る。
【００５５】
記憶部５２ｃには、読み取り装置２３が配線パターン２２から読み取るコードのとり得る値と位置情報（右腕、左腕、腹部、背中）とが対応付けられて予め記憶されている。各生体情報計測装置１〜４の位置情報取得部５１ｃは、読み取り装置２３が読み取ったコードに対応する位置情報を記憶部５２ｃから取得する（図４ステップＳ１０２）。
【００５６】
各生体情報計測装置１〜４の制御部５４は、第１の実施の形態と同様に、デジタル情報化した生体情報と記憶部５２ｃから読み出した識別情報と位置情報取得部５１ｃが取得した位置情報とを無線通信部５３に渡して電子機器へ無線送信させる（図４ステップＳ１０３）。こうして、本実施の形態では、第１の実施の形態と同様の効果を得ることができる。
【００５７】
第１〜第４の実施の形態で説明した生体情報計測装置１〜４のうち少なくとも位置情報取得部５１，５１ａ，５１ｂ，５１ｃと記憶部５２，５２ｃと制御部５４とは、ＣＰＵ（Central Processing Unit）、記憶装置及びインタフェースを備えたコンピュータと、これらのハードウェア資源を制御するプログラムによって実現することができる。ＣＰＵは、記憶装置に格納されたプログラムに従って第１〜第４の実施の形態で説明した処理を実行する。
同様に、スマートフォンなどの電子機器は、コンピュータによって実現することができる。このコンピュータのＣＰＵは、記憶装置に格納されたプログラムに従って第１〜第４の実施の形態で説明した処理を実行する。
【産業上の利用可能性】
【００５８】
本発明は、生体情報を同時に複数箇所で計測する多チャネル型のシステムに適用することができる。
【符号の説明】
【００５９】
１〜４…生体情報計測装置、５，６，８，９，１１，１２，１４〜１７，１９，２０…ドットボタン、７…タグ、１０，１６，２１，２３…読み取り装置、１３…無線タグ、１８…光学的識別コード、２２，２４〜２７…配線パターン、２８〜３２…端子、３３…抵抗値測定部、５０…生体情報検出部、５１，５１ａ，５１ｂ，５１ｃ…位置情報取得部、５２，５２ｃ…記憶部、５３…無線通信部、５４…制御部、５５…電池、１００…着衣型センサ。
【図１】
2017148220.tif 000005
【図２】
2017148220.tif 000006
【図３】
2017148220.tif 000007
【図４】
2017148220.tif 000008
【図５】
2017148220.tif 000009
【図６】
2017148220.tif 000010
【図７】
2017148220.tif 000011
【図８】
2017148220.tif 000012
【図９】
2017148220.tif 000013
【図１０】
2017148220.tif 000014
【図１１】
2017148220.tif 000015
【図１２】
2017148220.tif 000016
【図１３】
2017148220.tif 000017
【図１４】
2017148220.tif 000018
【図１５】
2017148220.tif 000019
【図１６】
2017148220.tif 000020